(57)【要約】【課題】  色温度可変時に白色のみならず、他の色表示時においても、好適な色再現範囲表示を実現する。【解決手段】  白色色温度を変更するように補正するものであって、３原色それぞれの発光強度を、変更可能な補正値で独立に補正する補正回路と、３原色のそれぞれに対応する３つの色信号のそれぞれに対して、変更可能なマトリクス係数を用いたマトリクス演算を行って新たな３つの色信号を出力するマトリクス演算回路と、前記補正値と前記マトリクス係数の一方の変更と他方の変更とが対応して生じるように制御を行う制御回路と、を有する。【選択図】  図１
2005253050.tif 000002
【特許請求の範囲】
【請求項１】
白色色温度を変更するように補正するものであって、３原色それぞれの発光強度を、変更可能な補正値で独立に補正する補正回路と、
３原色のそれぞれに対応する３つの色信号のそれぞれに対して、変更可能なマトリクス係数を用いたマトリクス演算を行って新たな３つの色信号を出力するマトリクス演算回路と、
前記補正値と前記マトリクス係数の一方の変更と他方の変更とが対応して生じるように制御を行う制御回路と、
を有することを特徴とする調整回路。
【請求項２】
白色色温度を変更するように補正するものであって、３原色のそれぞれに対応する３つの色信号のそれぞれに対して、変更可能な補正値で補正を行う補正回路と、
３原色のそれぞれに対応する３つの色信号のそれぞれに対して、変更可能なマトリクス係数を用いたマトリクス演算を行って新たな３つの色信号を出力するマトリクス演算回路と、
前記補正値と前記マトリクス係数の一方の変更と他方の変更とが対応して生じるように制御を行う制御回路と、
を有することを特徴とする調整回路。
【請求項３】
白色色温度を変更するように補正するものであって、被駆動素子を駆動して３原色それぞれの変調光を生じさせるための駆動信号として変更可能な補正値で補正された駆動信号が出力されるように補正を行う補正回路と、
３原色のそれぞれに対応する３つの色信号のそれぞれに対して、変更可能なマトリクス係数を用いたマトリクス演算を行って新たな３つの色信号を出力するマトリクス演算回路と、
前記補正値と前記マトリクス係数の一方の変更と他方の変更とが対応して生じるように制御を行う制御回路と、
を有することを特徴とする調整回路。
【請求項４】
請求項１乃至３のいずれか１項の調整回路であって、
前記補正値の変更が、色温度が低下する変更である場合に、それに対応して生じる前記マトリクス係数の変更が、色空間内での緑色の原点が赤よりにシフトする変更であることを特徴とする調整回路。
【請求項５】
請求項１乃至４のいずれか１項の調整回路と、
該調整回路から出力される３つの色信号に従って画像を表示する表示パネルと、
を備えることを特徴とする画像表示装置。
【請求項６】
請求項５に記載の画像表示装置と、
テレビ信号を受信して該画像表示装置に画像データを供給する受信回路と、
を含むことを特徴とするテレビジョン装置。
【請求項７】
白色色温度を変更するように補正するものであって、３原色それぞれの発光強度を、変更可能な補正値で独立に補正する補正ステップと、
３原色のそれぞれに対応する３つの色信号のそれぞれに対して、変更可能なマトリクス係数を用いたマトリクス演算を行って新たな３つの色信号を出力するマトリクス演算ステップと、
を有し、
前記補正値と前記マトリクス係数の一方の変更と他方の変更とが対応して生じるように
制御を行うことを特徴とする調整方法。
【請求項８】
白色色温度を変更するように補正するものであって、３原色のそれぞれに対応する３つの色信号のそれぞれに対して、変更可能な補正値で補正を行う補正ステップと、
３原色のそれぞれに対応する３つの色信号のそれぞれに対して、変更可能なマトリクス係数を用いたマトリクス演算を行って新たな３つの色信号を出力するマトリクス演算ステップと、
を有し、
前記補正値と前記マトリクス係数の一方の変更と他方の変更とが対応して生じるように制御を行うことを特徴とする調整方法。
【請求項９】
白色色温度を変更するように補正するものであって、被駆動素子を駆動して３原色それぞれの変調光を生じさせるための駆動信号として変更可能な補正値で補正された駆動信号が出力されるように補正を行う補正ステップと、
３原色のそれぞれに対応する３つの色信号のそれぞれに対して、変更可能なマトリクス係数を用いたマトリクス演算を行って新たな３つの色信号を出力するマトリクス演算ステップと、
を有し、
前記補正値と前記マトリクス係数の一方の変更と他方の変更とが対応して生じるように制御を行うことを特徴とする調整方法。
【請求項１０】
請求項７乃至９のいずれか１項の調整方法であって、
前記補正値の変更が、色温度が低下する変更である場合に、それに対応する前記マトリクス係数の変更が、色空間内での緑色の原点が赤よりにシフトする変更であることを特徴とする調整方法。
【発明の詳細な説明】
【技術分野】
【０００１】
本発明は、画像表示装置の調整回路に関し、例えばＰＤＰ（Plasma Display Panel）、ＬＣＤ、ＦＥＤ（Field Emission Display）、ＬＥＤディスプレイ、ＥＬディスプレイ等の画像表示装置に用いられる調整回路に関連するものである。画像表示装置は、パーソナルコンピュータのモニタやテレビジョン装置に好適に用いられる。
【背景技術】
【０００２】
複数の電子放出素子とその電子線照射を受け発光する蛍光面からなる表示パネルを用いてテレビジョン信号やコンピュータから表示信号を受信し画像表示させるテレビジョン受信機の例としては、特許文献１のような構成が知られている。
【０００３】
ブラウン管を用いたディスプレイ装置における色温度調整の例としては特許文献３のような構成が知られている。ＰＤＰ装置における色温度調整の例としては特許文献４のような構成が知られている。また液晶表示装置の色再現をＣＲＴ互換にするための例としては特許文献２のような構成が知られている。
【特許文献１】特開平６−３４２６３６号公報（ＵＳＰ5659329）
【特許文献２】特開２００２−２３２９０５号公報（ＵＳＡＡ2002135828）
【特許文献３】特開平８−１６３５８２号公報
【特許文献４】特開２００１−２６５２７７号公報（ＵＳＡＡ2002011795）
【発明の開示】
【発明が解決しようとする課題】
【０００４】
従来、色温度調整可能な画像表示装置においては、特許文献３や特許文献４にて述べられているようにＲＧＢの発光レベル比を調整する、もしくはＲＧＢの信号レベル比を調整することにより色温度調整が行われていた。このような従来の色温度調整においては確かに白色は所望の色温度に制御することが可能となるが、この色温度調整を行ったときに白以外の色がおかしくなってしまうおそれがあった。
【０００５】
図６に従来の色温度調整におけるｘｙ色度図上の色再現の一例を示す。図６において白色色温度をＷ１からＷ２に変化させるためにＲＧＢの信号レベル比を所望の値に変更した場合、例えばマゼンタ色は同図上でＭｇ１からＭｇ２に移動する。
【０００６】
白色色温度Ｗ１設定かつマゼンタの色座標がＭｇ１であった場合、グリーンの信号レベルに応じて色再現点はＭｇ１からＷ１の直線上を動くことになる。
【０００７】
一方、白色色温度Ｗ２設定かつマゼンタの色座標がＭｇ２であった場合、グリーンの信号レベルに応じて色再現点はＭｇ２からＷ２の直線上を動くことになる。
【０００８】
図６を見て明らかであるが、直線Ｗ１−Ｍｇ１と直線Ｗ２−Ｍｇ２では色座標上の距離が不均等であり、２つの直線上でグリーンの信号レベルに応じて色差が変動していることが分かる。
【０００９】
本発明は上記の従来技術の課題を解決するためになされたもので、その目的とするところは、色温度可変時に白色のみならず、他の色表示時においても、好適な色再現範囲表示を実現する技術を提供することにある。
【課題を解決するための手段】
【００１０】
上記目的を達成するために本発明にあっては、以下の構成を採用する。すなわち、
白色色温度を変更するように補正するものであって、３原色それぞれの発光強度を、変更可能な補正値で独立に補正する補正回路と、３原色のそれぞれに対応する３つの色信号のそれぞれに対して、変更可能なマトリクス係数を用いたマトリクス演算を行って新たな３つの色信号を出力するマトリクス演算回路と、前記補正値と前記マトリクス係数の一方の変更と他方の変更とが対応して生じるように制御を行う制御回路と、を有することを特徴とする調整回路である。
【００１１】
白色色温度を変更するように補正するものであって、３原色のそれぞれに対応する３つの色信号のそれぞれに対して、変更可能な補正値で補正を行う補正回路と、３原色のそれぞれに対応する３つの色信号のそれぞれに対して、変更可能なマトリクス係数を用いたマトリクス演算を行って新たな３つの色信号を出力するマトリクス演算回路と、前記補正値と前記マトリクス係数の一方の変更と他方の変更とが対応して生じるように制御を行う制御回路と、を有することを特徴とする調整回路である。
【００１２】
白色色温度を変更するように補正するものであって、被駆動素子を駆動して３原色それぞれの変調光を生じさせるための駆動信号として変更可能な補正値で補正された駆動信号が出力されるように補正を行う補正回路と、３原色のそれぞれに対応する３つの色信号のそれぞれに対して、変更可能なマトリクス係数を用いたマトリクス演算を行って新たな３つの色信号を出力するマトリクス演算回路と、前記補正値と前記マトリクス係数の一方の変更と他方の変更とが対応して生じるように制御を行う制御回路と、を有することを特徴とする調整回路である。
【００１３】
上記の調整回路であって、前記補正値の変更が、色温度が低下する変更である場合に、それに対応して生じる前記マトリクス係数の変更が、色空間内での緑色の原点が赤よりにシフトする変更であることを特徴とする調整回路である。
【００１４】
上記の調整回路と、該調整回路から出力される３つの色信号に従って画像を表示する表示パネルと、を備えることを特徴とする画像表示装置である。
【００１５】
上記の画像表示装置と、テレビ信号を受信して該画像表示装置に画像データを供給する受信回路と、を含むことを特徴とするテレビジョン装置である。
【００１６】
白色色温度を変更するように補正するものであって、３原色それぞれの発光強度を、変更可能な補正値で独立に補正する補正ステップと、３原色のそれぞれに対応する３つの色信号のそれぞれに対して、変更可能なマトリクス係数を用いたマトリクス演算を行って新たな３つの色信号を出力するマトリクス演算ステップと、を有し、前記補正値と前記マトリクス係数の一方の変更と他方の変更とが対応して生じるように制御を行うことを特徴とする調整方法である。
【００１７】
白色色温度を変更するように補正するものであって、３原色のそれぞれに対応する３つの色信号のそれぞれに対して、変更可能な補正値で補正を行う補正ステップと、３原色のそれぞれに対応する３つの色信号のそれぞれに対して、変更可能なマトリクス係数を用いたマトリクス演算を行って新たな３つの色信号を出力するマトリクス演算ステップと、を有し、前記補正値と前記マトリクス係数の一方の変更と他方の変更とが対応して生じるように制御を行うことを特徴とする調整方法である。
【００１８】
白色色温度を変更するように補正するものであって、被駆動素子を駆動して３原色それぞれの変調光を生じさせるための駆動信号として変更可能な補正値で補正された駆動信号が出力されるように補正を行う補正ステップと、３原色のそれぞれに対応する３つの色信
号のそれぞれに対して、変更可能なマトリクス係数を用いたマトリクス演算を行って新たな３つの色信号を出力するマトリクス演算ステップと、を有し、前記補正値と前記マトリクス係数の一方の変更と他方の変更とが対応して生じるように制御を行うことを特徴とする調整方法である。
【００１９】
上記の調整方法であって、前記補正値の変更が、色温度が低下する変更である場合に、それに対応する前記マトリクス係数の変更が、色空間内での緑色の原点が赤よりにシフトする変更であることを特徴とする調整方法である。
【発明の効果】
【００２０】
本発明によれば、各色温度設定に応じて好適な色再現範囲で画像表示を行うことができる。また、本発明によれば、木目細やかな色調整を行うことができる。
【発明を実施するための最良の形態】
【００２１】
以下に図面を参照して、この発明の最良な実施の形態を例示的に詳しく説明する。ただし、この実施の形態に記載されている構成部品の寸法、材質、形状、その相対配置などは、特に特定的な記載がない限りは、この発明の範囲をそれらのみに限定する趣旨のものではない。
【００２２】
（テレビジョン装置の実施の形態）
まず、図５を用いて本発明が適用されるテレビジョン装置について説明する。図５は、本発明に係るテレビジョン装置のブロック図である。テレビジョン装置は、セットトップボックス（ＳＴＢ）５０１と、画像表示装置５０２と、を備える。
【００２３】
セットトップボックス（ＳＴＢ）５０１は、受信回路５０３およびＩ／Ｆ部５０４を有する。受信回路５０３は、チューナーやデコーダ等からなり、衛星放送や地上波等のテレビ信号、ネットワークを介したデータ放送等を受信し、復号化した映像データをＩ／Ｆ部５０４に出力する。Ｉ／Ｆ部５０４は、映像データを画像表示装置５０２の表示フォーマットに変換して画像表示装置５０２に画像データを出力する。
【００２４】
画像表示装置５０２は、表示パネル２００、制御回路５０５、駆動回路５０６及び本発明の調整回路（色変換部）を有する。Ｉ／Ｆ部５０４からの画像データが一旦画像信号入力部にてＲＧＢ信号にデコードされて、ＲＧＢ信号が調整回路に入力される。すなわち、図３の入力端子２０１が図５のＩ／Ｆ部５０４に接続されており、Ｉ／Ｆ部５０４からの画像データは図３の画像信号入力部２０２に入力される。そして、画像信号入力部２０２によってデコードされたＲＧＢ信号が、調整回路である色変換部の図１や図４の逆γ変換部１０１に入力画像信号として入力される。
【００２５】
また、画像表示装置５０２に含まれる制御回路５０５は、入力した画像データに表示パネル２００に適した補正処理等の画像処理を施すとともに、駆動回路５０６に画像データ及び各種制御信号を出力する。制御回路５０５は、一例として図３におけるタイミング発生部２０５や駆動電圧制御部２０６が挙げられる。駆動回路５０６は、入力された画像データに基づいて、表示パネル２００に駆動信号を出力し、表示パネル２００上にはテレビ映像が表示されることとなる。駆動回路５０６は、一例として図３における列配線駆動部２０３や行配線駆動部２０４が挙げられる。表示パネル２００は、以下の実施の形態では図３に示すように電子放出素子を用いたＦＥＤを例に挙げるが、本発明ではＦＥＤに限定されるものではなく、例えばＰＤＰ、ＬＣＤディスプレイ、ＬＥＤ、ＥＬディスプレイ等の種々の表示パネルを用いることができるものである。
【００２６】
なお、受信回路５０３とＩ／Ｆ部５０４は、セットトップボックス（ＳＴＢ）５０１と
して画像表示装置５０２とは別の筐体に収められていてもよいし、また画像表示装置５０２と同一の筐体に収められていてもよい。
【００２７】
（第１の実施の形態）
図１、図２を参照して、第１の実施の形態について説明する。図１に第１の実施の形態における色変換部の構成を示す。色変換部は画像表示装置における調整回路に相当する部位であり、色変換部に入力される入力画像信号は、図５のＩ／Ｆ部５０４からの画像データが不図示の画像信号入力部によってデコードされたＲＧＢ信号である。そして、色変換部からは、色変換画像出力信号が不図示の列配線駆動部に出力される。色変換部は、逆γ変換部１０１と、補正回路に相当する乗算器１０３と、マトリクス演算回路に相当するリニアマトリクス変換部１０４と、第１レジスタ１０５と、第２レジスタ１０６と、データバス１０７と、制御回路に相当するＭＰＵ１０８と、を有する。
【００２８】
図１において逆γ変換部１０１はあらかじめガンマ変換されて入力される画像信号Ｒ、Ｇ、Ｂに対しガンマ変換を打ち消すような処理を施す。
【００２９】
乗算器１０３はＲＧＢ毎にそれぞれ備えられた乗算器であり、逆γ変換部１０１からの出力画像信号と第１レジスタ１０５からの出力信号であるＲＧＢ毎のゲイン係数（ｇｒ，ｇｇ，ｇｂ）の乗算を行い、リニアマトリクス変換部１０４に出力する。逆γ変換部１０１からの出力画像信号が３原色のそれぞれに対応する３つの色信号のそれぞれを指し、ゲイン係数（ｇｒ，ｇｇ，ｇｂ）が補正値を指す。ここでの出力画像信号とゲイン係数の乗算は、本発明の白色色温度を変更するような補正であり、Ｒ／Ｇ／Ｂの強度比を各色毎に変更するものである。
【００３０】
リニアマトリクス変換部１０４は第２レジスタ１０６からの出力信号であるマトリクス係数（Ｋ１２，Ｋ１３，Ｋ２１，Ｋ２３，Ｋ３１，Ｋ３２）を基にＲＧＢの混合演算を行い、不図示の画像表示部、詳しくは列配線駆動部へ色変換画像出力信号を出力する。色変換画像出力信号がマトリクス演算後の新たな色信号を指す。
【００３１】
ここで、不図示の画像表示部（表示パネル）は輝度データに比例するパルス幅で駆動されるような装置を前提に考えており、輝度データと発光強度はほぼ線形の関係にある。
【００３２】
また本実施の形態においては、ＭＰＵ１０８を備え、データバス１０７を介して第１レジスタ１０５及び第２レジスタ１０６に格納される係数データを変更することができる。
【００３３】
以上の関係を式で表すと、
【数１】
2005253050.tif 000003
のようになる。
【００３４】
ここで、本実施の形態における画像表示が初期状態においては色再現モード１に設定されているとし、不図示であるが画像表示装置の使用者の操作によりＭＰＵ１０８が色温度調整要求信号を受信したときに色再現モード２に変わるものとする。
【００３５】
色再現モード１、色再現モード２とは、例えば図２に示すような色再現範囲である。色再現モード１とは図２のｘｙ座標軸上にて示される白色点Ｗ１，色再現範囲Ｒ１／Ｇ１／
Ｂ１を直線で結んだ三角形の領域であり、色再現モード２とは図２のｘｙ座標軸上にて示される白色点Ｗ２，色再現範囲Ｒ２／Ｇ２／Ｂ２を直線で結んだ三角形の領域である。
【００３６】
従来の色温度調整においてはＲ／Ｇ／Ｂの強度比のみを変えて白色を調整していたが、本実施の形態においてはＲ／Ｇ／Ｂの強度比をゲイン係数（ｇｒ，ｇｇ，ｇｂ）を変更することにより行い、さらにマトリクス係数（Ｋ１２，Ｋ１３，Ｋ２１，Ｋ２３，Ｋ３１，Ｋ３２）もゲイン係数変更に連動して変更する。本実施の形態においてゲイン係数（ｇｒ，ｇｇ，ｇｂ）とマトリクス係数（Ｋ１２，Ｋ１３，Ｋ２１，Ｋ２３，Ｋ３１，Ｋ３２）を連動して変更するとは、所望の白色色温度調整Ｗ１→Ｗ２と色再現範囲△Ｒ１Ｇ１Ｂ１→△Ｒ２Ｇ２Ｂ２が図２に示すようにｘｙ座標系において同じ方向に移動することを意味する。
【００３７】
本実施の形態によれば、このようにマトリクス係数（Ｋ１２，Ｋ１３，Ｋ２１，Ｋ２３，Ｋ３１，Ｋ３２）もゲイン係数変更に連動して変更することが可能となるので、色温度調整と良好な色再現を両立させることが可能となる。
【００３８】
なお、上記において、色温度調整要求信号は画像表示装置の使用者の操作により発生する例で説明したがもちろんこれに限定される訳でなく、例えば画像表示装置が設置されている場所の環境条件（照明光の明るさや色合い）を検知して色温度調整要求信号を発生させたり、画像表示装置に入力される画像信号の種別（コンピュータ信号／ＤＶＤ等の映画ソース、ＴＶ放送受信など）を検知して色温度調整要求信号を発生させたりしても良い。
【００３９】
なお、色再現範囲の変更と色温度の調整が連動してなされればよいのであり、従って、設定の変更のきっかけとなる信号は色温度調整要求信号ではなくてもよく、色再現範囲変更要求信号であってもよい。
【００４０】
（第２の実施の形態）
図２、図３、図４を参照して、第２の実施の形態について説明する。図３に第２の実施の形態における画像表示装置の構成を示す。図３において表示パネル２００は複数の電子放出素子とその電子線照射を受け発光する蛍光面からなる表示パネルであり、列配線駆動部２０３、行配線駆動部２０４からの駆動信号により複数の電子放出素子が駆動され、放出された電子ビームが高圧電源部２１１からの加速電圧により蛍光面を励起することにより、画像表示が行われる。これらの構成及び駆動方法については、特許文献１（特開平６−３４２６３６号公報）に詳細に述べられているのでここでは省略する。
【００４１】
本実施の形態においては、表示パネル２００の行配線に印加されるバイアス電圧を発生する行配線駆動電圧電源部２０９と表示パネル２００の列配線に印加されるバイアス電圧を発生する列配線駆動電圧発生部２０８とを備えている。
【００４２】
列配線駆動電圧発生部２０８及び行配線駆動電圧電源部２０９の出力電圧設定は駆動電圧制御部２０６が、色変換部２１２からの制御信号及びタイミング発生部２０５からの制御信号を受け、列配線駆動電圧発生部２０８及び行配線駆動電圧電源部２０９に調整信号を出力することにより行われる。
【００４３】
入力端子２０１に入力された画像信号は画像信号入力部２０２にて、ＲＧＢ信号にデコードされて色変換部２１２に出力される。また、画像信号入力部２０２にて画像信号に含まれる同期信号が抽出され、タイミング発生部２０５に印加される。タイミング発生部２０５は本画像表示装置が動作するのに必要な各タイミング信号を生成して、各部に配信する。
【００４４】
図４に色変換部２１２の詳細の構成を示す。図４において逆γ変換部１０１はあらかじめガンマ変換されて入力される画像信号Ｒ、Ｇ、Ｂに対しガンマ変換を打ち消すような処理を施し、リニアマトリクス変換部１０４に出力する。リニアマトリクス変換部１０４は第２レジスタ１０６からの出力信号であるマトリクス係数（Ｋ１２，Ｋ１３，Ｋ２１，Ｋ２３，Ｋ３１，Ｋ３２）を基にＲＧＢの混合演算を行い、画像表示部の列配線駆動部２０３へ色変換画像出力信号を出力する。リニアマトリクス変換部１０４は第１の実施の形態と同様にマトリクス演算回路に相当する。
【００４５】
ＲＧＢの発光強度比は第１レジスタ１０５の係数（ｇｒ，ｇｇ，ｇｂ）により決定される。
【００４６】
画像表示部は輝度データに比例するパルス幅で駆動されるような装置を前提に考えており、輝度データと発光強度はほぼ線形の関係にある。
【００４７】
また、列配線駆動部２０３は、表示パネル２００のＲ画素・Ｇ画素・Ｂ画素毎に異なる駆動電圧を与えることが可能であり、列配線駆動電圧発生部２０８からＲ画素用列配線印加バイアス電圧・Ｇ画素用列配線印加バイアス電圧・Ｂ画素用列配線印加バイアス電圧を供給されている。Ｒ画素用列配線印加バイアス電圧・Ｇ画素用列配線印加バイアス電圧・Ｂ画素用列配線印加バイアス電圧は、駆動電圧制御部２０６において色変換部２１２からの制御信号により可変制御される。この可変制御は第１レジスタ１０５の係数（ｇｒ，ｇｇ，ｇｂ）により決定される。駆動電圧制御部２０６は補正回路に相当する。
【００４８】
また、本実施の形態においては、ＭＰＵ１０８を備え、データバス１０７を介して第１レジスタ１０５及び第２レジスタ１０６に格納される係数データを変更することができる。
【００４９】
ここで、本実施の形態における画像表示が初期状態においては色再現モード１に設定されているとし、不図示であるが画像表示装置の使用者の操作によりＭＰＵ１０８が色温度調整要求信号を受信したときに色再現モード２に変わるものとする。
【００５０】
色再現モード１、色再現モード２とは、例えば図２に示すような色再現範囲である。色再現モード１とは図２のｘｙ座標軸上にて示される白色点Ｗ１，色再現範囲Ｒ１／Ｇ１／Ｂ１を直線で結んだ三角形の領域であり、色再現モード２とは図２のｘｙ座標軸上にて示される白色点Ｗ２，色再現範囲Ｒ２／Ｇ２／Ｂ２を直線で結んだ三角形の領域である。
【００５１】
従来の色温度調整においてはＲ／Ｇ／Ｂの強度比のみを変えて白色を調整していたが、本実施の形態においてはＲ／Ｇ／Ｂの強度比をＲ画素用列配線印加バイアス電圧・Ｇ画素用列配線印加バイアス電圧・Ｂ画素用列配線印加バイアス電圧を設定する係数（ｇｒ，ｇｇ，ｇｂ）を変更することにより行い、さらにマトリクス係数（Ｋ１２，Ｋ１３，Ｋ２１，Ｋ２３，Ｋ３１，Ｋ３２）もＲ／Ｇ／Ｂの強度比変更に連動して変更する。本実施の形態においてＲ画素用列配線印加バイアス電圧・Ｇ画素用列配線印加バイアス電圧・Ｂ画素用列配線印加バイアス電圧を設定する係数（ｇｒ，ｇｇ，ｇｂ）とマトリクス係数（Ｋ１２，Ｋ１３，Ｋ２１，Ｋ２３，Ｋ３１，Ｋ３２）を連動して変更するとは、所望の白色色温度調整Ｗ１→Ｗ２と色再現範囲△Ｒ１Ｇ１Ｂ１→△Ｒ２Ｇ２Ｂ２が図２に示すようにｘｙ座標系において同じ方向に移動することを意味する。
【００５２】
本実施の形態によれば、このようにマトリクス係数（Ｋ１２，Ｋ１３，Ｋ２１，Ｋ２３，Ｋ３１，Ｋ３２）もＲ画素用列配線印加バイアス電圧・Ｇ画素用列配線印加バイアス電圧・Ｂ画素用列配線印加バイアス電圧を設定する係数（ｇｒ，ｇｇ，ｇｂ）の変更に連動して変更することが可能となるので、色温度調整と良好な色再現を両立させることが可能
となる。
【００５３】
以上ＲＧＢ強度比をＲ画素用列配線印加バイアス電圧・Ｇ画素用列配線印加バイアス電圧・Ｂ画素用列配線印加バイアス電圧を変更する例にて説明したが、必ずしもこの方法に限定されることなく、例えばＲＧＢ毎に異なるパルス幅変調ＣＬＫ周波数で駆動するようにしてＲＧＢ毎のパルス幅変調ＣＬＫ周波数を係数（ｇｒ，ｇｇ，ｇｂ）に応じて変更する等のようにＲＧＢ毎の表示期間割り当て率を変更するような制御を行っても良い。
【００５４】
（第３の実施の形態）
第３の実施の形態について説明する。第３の実施の形態においては、より木目細やかなの色調整を行える構成を説明する。
【００５５】
色再現モード１の設定データが、白色色温度Ｗ１設定のＲＧＢ強度比係数（ｇｒ＿１，ｇｇ＿１，ｇｂ＿１）、色域マトリクス係数（Ｋ１２＿１，Ｋ１３＿１，Ｋ２１＿１，Ｋ２３＿１，Ｋ３１＿１，Ｋ３２＿１）であった。
【００５６】
また、色再現モード２の設定データが、白色色温度Ｗ２設定のＲＧＢ強度比係数（ｇｒ＿２，ｇｇ＿２，ｇｂ＿２）、色域マトリクス係数（Ｋ１２＿２，Ｋ１３＿２，Ｋ２１＿２，Ｋ２３＿２，Ｋ３１＿２，Ｋ３２＿２）であった。
【００５７】
このときに、Ｗ１とＷ２の中間の白色色温度Ｗαを表示する場合に、
ＲＧＢ強度比係数（ｇｒ＿α，ｇｇ＿α，ｇｂ＿α）、
及び色域マトリクス係数（Ｋ１２＿α，Ｋ１３＿α，Ｋ２１＿α，Ｋ２３＿α，Ｋ３１＿α，Ｋ３２＿α）、
を白色色温度Ｗ１の設定係数と白色色温度Ｗ２の設定係数から、ＭＰＵが補間演算して求め、第１レジスタ・第２レジスタの設定値を更新することにより行う。
【００５８】
補間方式としては、例えばＷ１とＷ２の中間の白色色温度Ｗαの関係が、
Ｗｋ＝Ｗ１＋（Ｗ２−Ｗ１）×α  、（０≦α≦１）であったとき、
２点間の距離αに基づき直線補間により算出する。
【００５９】
このように、あらかじめ良好に表示できる二つの色再現モードの係数データを取得しておき、その中間状態の調整は２モードの係数データから補間して生成することにより、木目細やかな色調整を実現することが出来る。
【００６０】
また、２つの色再現モードの中間状態だけでなく、２モードの外側に調整したい場合は係数データを外挿して求めても良い。
【図面の簡単な説明】
【００６１】
【図１】第１の実施の形態における色変換部の構成を示す図である。
【図２】本発明の色温度調整におけるｘｙ色度図上の色再現の一例である。
【図３】第２の実施の形態における画像表示装置の構成を示す図である。
【図４】第２の実施の形態における色変換部の構成を示す図である。
【図５】本発明に係るテレビジョン装置のブロック図である。
【図６】従来の色温度調整におけるｘｙ色度図上の色再現の一例である。
【符号の説明】
【００６２】
１０１  逆γ変換部
１０３  乗算器
１０４  リニアマトリクス変換部
１０５  第１レジスタ
１０６  第２レジスタ
１０７  データバス
１０８  ＭＰＵ
２００  表示パネル
２０１  入力端子
２０２  画像信号入力部
２０３  列配線駆動部
２０４  行配線駆動部
２０５  タイミング発生部
２０６  駆動電圧制御部
２０８  列配線駆動電圧発生部
２０９  行配線駆動電圧電源部
２１１  高圧電源部
２１２  色変換部
【図１】
2005253050.tif 000004
【図２】
2005253050.tif 000005
【図３】
2005253050.tif 000006
【図４】
2005253050.tif 000007
【図５】
2005253050.tif 000008
【図６】
2005253050.tif 000009